(57)【要約】      （修正有）【課題】集積回路の端子配置によって生じていた種々の問題を解消することができる高周波回路用集積回路および高周波回路を提供する。【解決手段】高周波回路２は、高周波回路用集積回路１、第１のコイル６、第２のコイル７、第３のコイル８を備える。高周波回路用集積回路１は、第１のコイル６が接続される一対の第１の端子３、第１のコイル６よりも小さな第２のコイル７が接続される一対の第２の端子４、第２のコイル７よりも小さな第３のコイル８が接続される一対の第３の端子５を備える。各端子３、４、５については、内側から、第３の端子５、第２の端子４、第１の端子３の順に一列に配列されている。【選択図】図１
2010226446.tif 000002
【特許請求の範囲】
【請求項１】
第１の周波数帯域の信号の処理に用いられる端子であって第１のコイルの両端がそれぞれ接続される一対の第１の端子と、
第１の周波数帯域よりも高い第２の周波数帯域の信号の処理に用いられる端子であって前記第１のコイルよりも小さな第２のコイルの両端がそれぞれ接続される一対の第２の端子と
を備えており、
前記一対の第１の端子および前記一対の第２の端子は、一列に配列されており、
前記一対の第２の端子は、前記一対の第１の端子の間に配置されている
ことを特徴とする高周波回路用集積回路。
【請求項２】
前記第２の周波数帯域よりも高い第３の周波数帯域の信号の処理に用いられる端子であって前記第２のコイルよりも小さな第３のコイルの両端がそれぞれ接続される一対の第３の端子を備えており、
前記一対の第３の端子は、前記一対の第１の端子および前記一対の第２の端子とともに一列に配列されており、
前記一対の第３の端子は、前記一対の第２の端子の間に配置されている
ことを特徴とする請求項１に記載の高周波回路用集積回路。
【請求項３】
前記一対の第１の端子および前記一対の第２の端子、または、前記一対の第３の端子を備える場合においては前記一対の第１の端子、前記一対の第２の端子および前記一対の第３の端子に対して、それぞれ内部接続された可変容量素子を備えている
ことを特徴とする請求項１または請求項２に記載の高周波回路用集積回路。
【請求項４】
前記第１の周波数帯域の信号は、ＶＨＦローバンド帯域信号またはＶＨＦハイバンド帯域信号であり、
前記第２の周波数帯域の信号は、ＶＨＦハイバンド帯域信号またはＵＨＦ帯域信号であり、
前記一対の第３の端子を備える場合においては、前記第２の周波数帯域の信号はＶＨＦハイバンド帯域信号であって前記第３の周波数帯域の信号はＵＨＦ帯域信号である
ことを特徴とする請求項１から請求項３のいずれか１項に記載の高周波回路用集積回路。
【請求項５】
請求項１から請求項４のいずれか１項に記載の高周波回路用集積回路と、
前記一対の第１の端子に接続される前記第１のコイルと、
前記一対の第２の端子に接続されており、前記第１の端子および前記第１のコイルに囲まれて配置されている前記第２のコイルと、
前記一対の第３の端子を備える場合においては前記一対の第３の端子に接続されており、前記第２の端子および前記第２のコイルに囲まれて配置されている前記第３のコイルと
を備えることを特徴とする高周波回路。
【発明の詳細な説明】
【技術分野】
【０００１】
本発明は、高周波回路用集積回路および高周波回路に係り、特に、ＶＨＦ帯域信号やＵＨＦ帯域信号を送受信するチューナ用ＩＣやＴＶチューナに好適に利用できる高周波回路用集積回路および高周波回路に関する。
【背景技術】
【０００２】
一般的に、ＴＶチューナなどの高周波回路にはチューナ用ＩＣと称する高周波回路用集積回路が用いられている。
【０００３】
従来の高周波回路１０２は、図３に示すように、高周波回路用集積回路１０１ならびに第１の空芯コイル１０６、第２の空芯コイル１０７および第３の空芯コイル１０８を備えている。第１の空芯コイル１０６、第２の空芯コイル１０７および第３の空芯コイル１０８は大きい順に順序づけされたものであり、大きな空芯コイルほど低い周波数帯域の信号の処理の用途に適している。
【０００４】
また、従来の高周波回路用集積回路１０１においては、そのパッケージの表面に一列に配列された一対の第１の端子１０３、一対の第２の端子１０４および一対の第３の端子１０５が形成されている。一対の第１の端子１０３、一対の第２の端子１０４および一対の第３の端子１０５は、処理する信号の周波数帯域に応じて区分けされた端子であり、例えば、低周波数側から順に、ＶＨＦローバンド帯域信号、ＶＨＦハイバンド帯域信号およびＵＨＦ帯域信号の処理の用途に供される。そのため、一対の第１の端子１０３には第１の空芯コイル１０６が、一対の第２の端子１０４には第２の空芯コイル１０７が、そして、一対の第３の端子１０５には第３の空芯コイル１０８がそれぞれ接続されている。
【先行技術文献】
【特許文献】
【０００５】
【特許文献１】特開２００３−２３４９７１号公報
【発明の概要】
【発明が解決しようとする課題】
【０００６】
従来の高周波回路用集積回路１０１においては、処理する周波数帯域に応じてモジュール化された回路ブロック１２０、１２１、１２２が内蔵されているため、例えば、ＶＨＦローバンド帯域信号を処理する回路ブロック１２０から引き出された一対の第１の端子１０３が隣接して配置されるように、３種の端子１０３、１０４、１０５がその種類ごとに隣接して配置されていた。また、３種の端子１０３、１０４、１０５がその種類ごとに互いに隣接して配置されていると、端子１０３、１０４、１０５の形成が容易になることからも、通常は上述した端子１０３、１０４、１０５の配置を採用していた。
【０００７】
しかしながら、従来の高周波回路１０２においては、このような各端子１０３、１０４、１０５の配置に依存して各空芯コイル１０６、１０７、１０８が配置されることにより、様々な問題が生じていた。
【０００８】
例えば、従来の高周波回路１０２においては、例えば、空芯コイル１０６、１０７、１０８を効率良く配置することができないといった問題が生じていた。高周波回路用集積回路１０１の一般的なサイズが５ｍｍ×５ｍｍ、その端子間のピッチが０．５ｍｍに対し、第１の空芯コイル１０６の一般的なサイズが３ｍｍ×６ｍｍと大きいため、空芯コイル１０６、１０７、１０８の配置効率が必然的に悪くなり、ひいては、高周波回路１０２の基板の使用面積に大きな影響を及ぼすという問題が生じていた。
【０００９】
また、従来の高周波回路１０２においては、例えば、端子１０３、１０４、１０５と空芯コイル１０６、１０７、１０８との配線の取り回しが複雑かつ長くなってしまうといった問題が生じていた。配線の取り回しが複雑になると、配線間隔が極端に小さくなって所望しない寄生容量を発生させてしまう原因となる。また、ＵＨＦ帯域信号などの周波数帯域の高い信号を処理する第３の端子１０５と第３の空芯コイル１０８との間に形成された配線が長くなると、その配線に容易に寄生容量が生じ、従来の高周波回路用集積回路１０１に悪影響を及ぼしやすい。
【００１０】
そこで、本発明はこれらの点に鑑みてなされたものであり、集積回路の端子配置によって生じていた種々の問題を解消することができる高周波回路用集積回路および高周波回路を提供することを本発明の目的としている。
【課題を解決するための手段】
【００１１】
前述した目的を達成するため、本発明の高周波回路用集積回路は、その第１の態様として、第１の周波数帯域の信号の処理に用いられる端子であって第１のコイルの両端がそれぞれ接続される一対の第１の端子と、第１の周波数帯域よりも高い第２の周波数帯域の信号の処理に用いられる端子であって第１のコイルよりも小さな第２のコイルの両端がそれぞれ接続される一対の第２の端子とを備えており、一対の第１の端子および一対の第２の端子は、一列に配列されており、一対の第２の端子は、一対の第１の端子の間に配置されていることを特徴としている。
【００１２】
本発明の第１の態様の高周波回路用集積回路によれば、小さなコイルから順に内側から外側へ配置されるので、端子とコイルとの間の配線をほぼ直線的にレイアウトすることができる。また、より高い周波数の信号を処理する端子ほど他の端子よりも内側に配置されているので、その端子とコイルとの間の配線が短くなり、寄生容量の発生を抑制することができる。
【００１３】
本発明の第２の態様の高周波回路用集積回路は、第１の態様の高周波回路用集積回路において、第２の周波数帯域よりも高い第３の周波数帯域の信号の処理に用いられる端子であって第２のコイルよりも小さな第３のコイルの両端がそれぞれ接続される一対の第３の端子を備えており、一対の第３の端子は、一対の第１の端子および一対の第２の端子とともに一列に配列されており、一対の第３の端子は、一対の第２の端子の間に配置されていることを特徴としている。
【００１４】
本発明の第２の態様の高周波回路用集積回路によれば、端子の種類が１種類増加しても、第１の態様の高周波回路用集積回路に係る作用と同様の作用を得ることができる。
【００１５】
本発明の第３の態様の高周波回路用集積回路は、第１または第２の態様の高周波回路用集積回路において、一対の第１の端子および一対の第２の端子、または、一対の第３の端子を備える場合においては一対の第１の端子、一対の第２の端子および一対の第３の端子に対して、それぞれ内部接続された可変容量素子を備えていることを特徴としている。
【００１６】
本発明の第３の態様の高周波回路用集積回路によれば、高周波回路用集積回路の外部において接続されるコイルを用いて、高周波フィルタ回路を形成することができる。
【００１７】
本発明の第４の態様の高周波回路用集積回路は、第１から第３のいずれか１の態様の高周波回路用集積回路において、第１の周波数帯域の信号は、ＶＨＦローバンド帯域信号またはＶＨＦハイバンド帯域信号であり、第２の周波数帯域の信号は、ＶＨＦハイバンド帯域信号またはＵＨＦ帯域信号であり、一対の第３の端子を備える場合においては、第２の周波数帯域の信号はＶＨＦハイバンド帯域信号であって第３の周波数帯域の信号はＵＨＦ帯域信号であることを特徴としている。
【００１８】
本発明の第４の態様の高周波回路用集積回路によれば、高周波回路用集積回路をＴＶチューナ用ＩＣとして用いることができる。
【００１９】
また、前述した目的を達成するため、本発明の高周波回路は、その第１の態様として、第１から第４のいずれか１の態様の高周波回路用集積回路と、一対の第１の端子に接続される第１のコイルと、一対の第２の端子に接続されており、第１の端子および第１のコイルに囲まれて配置されている第２のコイルと、一対の第３の端子を備える場合においては一対の第３の端子に接続されており、第２の端子および第２のコイルに囲まれて配置されている第３のコイルとを備えることを特徴としている。
【００２０】
本発明の第１の態様の高周波回路によれば、小さなコイルから順に内側から外側へ配置したので、端子とコイルとの間の配線を直線的にレイアウトすることができる。また、より高い周波数の信号を処理する端子ほど他の端子よりも内側に配置されているので、その端子とコイルとの間の配線が短くなり、寄生容量の発生を抑制することができる。
【発明の効果】
【００２１】
本発明の高周波回路用集積回路および高周波回路によれば、処理する周波数帯域の高低に応じて端子の位置を変更し、それに応じて端子に接続されるコイルの配置も変更したので、集積回路の端子配置によって生じていた種々の問題を解消することができるという効果を奏する。
【図面の簡単な説明】
【００２２】
【図１】本実施形態の高周波回路用集積回路および高周波回路を示す平面図
【図２】本実施形態の高周波回路用集積回路および高周波回路に可変容量素子が接続された状態を示す等価回路
【図３】従来の高周波回路用集積回路および高周波回路の一例を示す平面図
【発明を実施するための形態】
【００２３】
以下、本発明の高周波回路用集積回路および高周波回路をその一実施形態により説明する。
【００２４】
本実施形態の高周波回路２は、例えばＴＶチューナに用いられる回路であり、図１に示すように、高周波回路用集積回路１ならびに第１の空芯コイル６、第２の空芯コイル７および第３の空芯コイル８を備えている。
【００２５】
本実施形態の高周波回路用集積回路１は、例えばチューナ用ＩＣとして用いられる回路であり、図１に示すように、そのパッケージの表面に、各端子３、４、５を備えている。高周波回路用集積回路１が処理する信号の周波数帯域が２つの場合、高周波回路用集積回路１は一列に配列された一対の第１の端子３および一対の第２の端子４のみを備えていればよい。本実施形態の高周波回路用集積回路１においては、処理する信号の周波数帯域が３つなので、一対の第１の端子３および一対の第２の端子４の他に、一対の第３の端子５を備えており、それらが一列に配列されている。
【００２６】
一対の第１の端子３は、第１の周波数帯域の信号の処理に用いられる端子である。そして、これら一対の第１の端子３は、一対の第２の端子４および一対の第３の端子５の外側にそれぞれ配置されている。第１の周波数帯域の信号としては、ＶＨＦローバンド帯域信号またはＶＨＦハイバンド帯域信号、特に、ＶＨＦローバンド帯域信号であることが好ましい。
【００２７】
一対の第２の端子４は、第２の周波数帯域の信号の処理に用いられる端子である。そして、これら一対の第２の端子４は、一対の第１の端子３の間、言い換えると、一対の第１の端子３の内側にそれぞれ配置されている。第２の周波数帯域の信号は、第１の周波数帯域よりも高い周波数帯域の信号である。この第２の周波数帯域の信号としては、ＶＨＦハイバンド帯域信号またはＵＨＦ帯域信号、特に、ＶＨＦハイバンド帯域信号であることが好ましい。
【００２８】
一対の第３の端子５は、第３の周波数帯域の信号の処理に用いられる端子である。そして、これら一対の第３の端子５は、一対の第２の端子４の間、言い換えると、一対の第１の端子３および一対の第２の端子４の内側にそれぞれ配置されている。第３の周波数帯域の信号は、第２の周波数帯域よりも高い周波数帯域の信号である。この第３の周波数帯域の信号としては、ＵＨＦ帯域信号であることが好ましい。
【００２９】
なお、本実施形態の高周波回路用集積回路１については、第３の端子５を有しているか否かによって処理する信号の組み合わせが異なる。高周波回路用集積回路１が第３の端子５を有している場合、「第１の周波数帯域の信号、第２の周波数帯域の信号、第３の周波数帯域の信号」の組み合わせは、「ＶＨＦローバンド帯域信号、ＶＨＦハイバンド帯域信号、ＵＨＦ帯域信号」の１種類のみである。それに対し、高周波回路用集積回路１が第３の端子５を有していない場合、「第１の周波数帯域の信号、第２の周波数帯域の信号」の組み合わせは、「ＶＨＦローバンド帯域信号、ＶＨＦハイバンド帯域信号」、「ＶＨＦローバンド帯域信号、ＵＨＦ帯域信号」、「ＶＨＦハイバンド帯域信号、ＵＨＦ帯域信号」の３種類ある。
【００３０】
また、本実施形態の高周波回路用集積回路１においては、図１および図２に示すように、例えば回路ブロック２０、２１、２２の構成要素の１つとして、一対の第１の端子３、一対の第２の端子４および一対の第３の端子５に３個の可変容量素子３０、３１、３２がそれぞれ１個ずつ接続されていることが好ましい。なお、一対の第３の端子５を備えていない場合においては一対の第１の端子３および一対の第２の端子４のみに２個の可変容量素子３０、３１が内部接続されることが好ましい。
【００３１】
本実施形態の高周波回路用集積回路１に接続される第１の空芯コイル６、第２の空芯コイル７および第３の空芯コイル８としては、次の通りである。
【００３２】
第１の空芯コイル６については、その両端部が一対の第１の端子３に配線９を介して接続されている。第１の空芯コイル６は最も低い第１の周波数帯域の信号の処理の用途に供されるものであるから、３つの空芯コイル６、７、８のなかで最も大きな空芯コイルである。
【００３３】
第２の空芯コイル７については、その両端部が一対の第２の端子４に配線１０を介して接続されている。この第２の空芯コイル７は、第１の周波数帯域よりも高い第２の周波数帯域の信号の処理の用途に供されるものであるから、第１の空芯コイル６よりも小さな空芯コイルである。また、この第２の空芯コイル７は、第１の端子３および第１の空芯コイル６に囲まれる位置に配設されている。
【００３４】
第３の空芯コイル８については、その両端部が一対の第３の端子５に配線１１を介して接続されている。この第３の空芯コイル８は最も高い第３の周波数帯域の信号の処理の用途に供されるものであるから、３つの空芯コイル６、７、８のなかで最も小さな空芯コイルである。また、この第３の空芯コイル８は、第２の端子４および第２の空芯コイル７に囲まれる位置に配設されている。
【００３５】
次に、本実施形態の高周波回路用集積回路１および高周波回路２の作用を説明する。
【００３６】
本実施形態の高周波回路２においては、図１に示すように、本実施形態の高周波回路用集積回路１を備えている。この本実施形態の高周波回路用集積回路１においては、少なくとも一対の第１の端子３および一対の第２の端子４が一列に配列されており、かつ、一対の第２の端子４が一対の第１の端子３の間に配置されている。これにより、小さな第２の空芯コイル７を内側に配設し、大きな第１の空芯コイル６を外側に配設すること（つまり、小さな空芯コイルから順に内側から外側へ配置する）ことができるようになるので、第１の端子３と第１の空芯コイル６との間の配線９および第２の端子４と第２の空芯コイル７との間の配線１０をほぼ直線的にレイアウトすることができる。
【００３７】
また、本実施形態の高周波回路２においては、図１に示すように、より高い周波数の信号を処理する第２の端子４が第１の端子３よりも内側に配置されていることから、第２の端子４と第２の空芯コイル７との間の配線１０が第１の端子３と第１の空芯コイル６との間の配線９よりも短くなるので、高い周波数帯域の信号ほど影響を受けやすい寄生容量の発生を抑制することができる。
【００３８】
上記の作用効果は、一対の第３の端子５についても同様のことがいえる。すなわち、本実施形態の高周波回路用集積回路１においては、図１に示すように、一対の第３の端子５が一対の第１の端子３および一対の第２の端子４とともに一列に配列されており、かつ、一対の第３の端子５が一対の第２の端子４の間に配置されている。そのため、最も小さな第３の空芯コイル８から順に内側から外側へ配置することができるようになるので、第３の端子５と第３の空芯コイル８との間の配線１１もほぼ直線的にレイアウトすることができる。また、第３の端子５と第３の空芯コイル８との間の配線１１が最も短くなるので、かかる配線１１に対して寄生容量の発生を抑制することができる。
【００３９】
また、本実施形態の高周波回路用集積回路１においては、図２に示すように、一対の第１の端子３、一対の第２の端子４および一対の第３の端子５に対してそれぞれ内部接続された３個の可変容量素子３０、３１、３２をそれぞれ備えている。これにより、高周波回路用集積回路１の外部において接続される第１の空芯コイル６、第２の空芯コイル７および第３の空芯コイル８を用いて高周波フィルタ回路を形成することができる。
【００４０】
さらに、本実施形態の高周波回路用集積回路１は、周波数帯域の低い順に、第１の周波数帯域の信号、第２の周波数帯域の信号および第３の周波数帯域の信号を処理している。そして、その処理する周波数帯域の信号は、周波数帯域の低い順に、ＶＨＦローバンド帯域信号、ＶＨＦハイバンド帯域信号およびＵＨＦ帯域信号となっている。これにより、本実施形態の高周波回路用集積回路１をＴＶチューナ用ＩＣとして用いることができる。
【００４１】
また、本実施形態の高周波回路２は、図１に示すように、上述した本実施形態の高周波回路用集積回路１に第１の空芯コイル６、第２の空芯コイル７および第３の空芯コイル８が第１の端子３、第２の端子４および第３の端子５の配置に依存させて所定の位置に配設されている。つまり、小さな空芯コイルから順に内側から外側へ配置したので、上述の通り、端子３、４、５と空芯コイル６、７、８との間の配線９、１０、１１を直線的にレイアウトすることを実現させている。また、その端子３、４、５と空芯コイル６、７、８との間の配線９、１０、１１が短くなり、寄生容量の発生を抑制することを実現させている。
【００４２】
すなわち、本実施形態の高周波回路用集積回路１および高周波回路２によれば、処理する周波数帯域の高低に応じて端子３、４、５の位置を変更し、それに応じて端子３、４、５に接続される空芯コイル６、７、８の配置も変更したので、集積回路の端子配置によって生じていた種々の問題を解消することができるという効果を奏する。
【００４３】
なお、本発明は、前述した実施形態などに限定されるものではなく、必要に応じて種々の変更が可能である。
【符号の説明】
【００４４】
１  高周波回路用集積回路
２  高周波回路
３  第１の端子
４  第２の端子
５  第３の端子
６  第１の空芯コイル
７  第２の空芯コイル
８  第３の空芯コイル
３０、３１、３２  可変容量素子
【図１】
2010226446.tif 000003
【図２】
2010226446.tif 000004
【図３】
2010226446.tif 000005